(57)【要約】【課題】  投稿者とユーザーとの接触する機会を低減させる「投稿情報表示システム、サーバ、端末装置、投稿情報表示方法およびプログラム」を提供する。【解決手段】  投稿情報の表示システムを構成するＳＮＳサーバ２００は、投稿者によって投稿された投稿情報を受信する受信手段と、受信した投稿情報を蓄積する蓄積手段と、スマートフォン１００からの要求に応じて投稿情報を選択する選択手段と、選択された投稿情報をスマートフォン１００に送信する送信手段とを含む。スマートフォン１００は、現在位置取得部１３０と、取得された現在位置情報に基づきＳＮＳサーバに対して投稿情報の送信を要求し、当該要求に応答して選択手段によって選択された投稿情報を表示する投稿情報表示手段とを有する。選択手段は、スマートフォンの現在位置から投稿情報の投稿位置までの所要時間を算出する経路探索手段と、現在時刻と投稿情報の投稿時間とを比較する比較手段とを有し、選択手段は、所要時間及び比較結果に基づき投稿情報を選択する。【選択図】    図３
2014219333.tif 000002
【特許請求の範囲】
【請求項１】
投稿情報を配信可能なサーバと、サーバからの投稿情報を表示可能な端末装置とを備えた投稿情報表示システムであって、
前記サーバは、
投稿者によって投稿された投稿情報を受信する受信手段と、
受信した投稿情報を蓄積する蓄積手段と、
前記端末装置から現在位置情報を受信し、この現在位置から投稿情報の投稿位置までの所要時間を算出する経路探索手段と、
現在時刻と投稿情報の投稿時間とを比較する比較手段と、
前記端末装置からの要求に応じて、前記所要時間及び前記比較結果に基づき投稿情報を選択する選択手段と、
前記選択手段によって選択された投稿情報を前記端末装置に送信する送信手段とを有し、
前記端末装置は、
端末装置の現在位置情報を取得する取得手段と、
取得された現在位置情報に基づき前記サーバに対して投稿情報の送信を要求する要求手段と、
前記要求手段に応答して前記選択手段によって選択された投稿情報を受信して表示する投稿情報表示手段と、
を有する投稿情報表示システム。
【請求項２】
前記選択手段は、前記比較結果により現在時刻から第１の時間内にあり、かつ前記所要時間が第２の時間内に投稿された投稿情報を選択しない、請求項１に記載の投稿情報表示システム。
【請求項３】
投稿情報を配信可能なサーバと、サーバからの投稿情報を表示可能な端末装置とを備えた投稿情報表示システムであって、
前記サーバは、
投稿者によって投稿された投稿情報を受信する受信手段と、
受信した投稿情報を蓄積する蓄積手段と、
前記端末装置からの要求に応じて投稿情報を端末装置に送信する送信手段とを有し、
前記端末装置は、
前記端末装置の現在位置情報を取得する取得手段と、
前記サーバに対して投稿情報の送信を要求する要求手段と、
前記要求手段に応答して前記送信手段によって送信された投稿情報を受信する投稿情報受信手段と、
前記端末装置の現在位置から前記投稿情報受信手段で受信した投稿情報の投稿位置までの経路を探索して所要時間を算出する経路探索手段と、
現在時刻と前記投稿情報受信手段で受信した投稿情報の投稿時間とを比較する比較手段と、
前記所要時間及び前記比較結果に基づき前記投稿情報を表示する投稿情報表示手段と、
を有する投稿情報表示システム。
【請求項４】
前記投稿情報表示手段は、前記比較結果により現在時刻から第１の時間内にあり、かつ前記所要時間が第２の時間内に投稿された投稿情報を表示しない、請求項３に記載の投稿情報表示システム。
【請求項５】
前記投稿者は予め定められた人物である、請求項１または４に記載の投稿情報表示システム。
【請求項６】
前記投稿情報は、前記予め決められた人物を写した静止画または動画を含み、前記投稿情報表示手段は、前記静止画または動画を表示する、請求項５に記載の投稿情報表示システム。
【請求項７】
投稿情報を表示可能な端末装置に前記投稿情報を送信するサーバであって、
投稿者によって投稿された投稿情報を受信する受信手段と、
受信した投稿情報を蓄積する蓄積手段と、
前記端末装置から現在位置情報を受信し、この現在位置から投稿情報の投稿位置までの所要時間を算出する経路探索手段と、
現在時刻と投稿情報の投稿時間とを比較する比較手段と、
前記端末装置からの要求に応じて、前記所要時間及び前記比較結果に基づき投稿情報を選択する選択手段と、
前記選択手段によって選択された投稿情報を前記端末装置に送信する送信手段と、
を有するサーバ。
【請求項８】
前記選択手段は、前記比較結果により現在時刻から第１の時間内にあり、かつ前記所要時間が第２の時間内に投稿された投稿情報を選択しない、請求項７に記載のサーバ。
【請求項９】
サーバに蓄積された投稿情報を受信して表示する端末装置であって、
現在位置情報を取得する取得手段と、
前記サーバに対して投稿情報の送信を要求する要求手段と、
前記要求手段に応答して前記サーバから投稿情報を受信する投稿情報受信手段と、
前記端末装置の現在位置から前記投稿情報受信手段で受信した投稿情報の投稿位置までの経路を探索して所要時間を算出する経路探索手段と、
現在時刻と前記投稿情報受信手段で受信した投稿情報の投稿時間とを比較する比較手段と、
前記所要時間及び前記比較結果に基づき前記投稿情報を表示する投稿情報表示手段と、
を有する端末装置。
【請求項１０】
前記投稿情報表示手段は、前記比較結果により現在時刻から第１の時間内にあり、かつ前記所要時間が第２の時間内に投稿された投稿情報を表示しない、請求項９に記載の端末装置。
【請求項１１】
投稿情報を配信可能なサーバと、サーバからの投稿情報を表示可能な端末装置とを備えたシステムにおける投稿情報表示方法であって、
投稿者によって投稿された投稿情報をサーバに蓄積するステップと、
前記端末装置からの要求に応じて前記投稿情報を選択するステップと、
選択された投稿情報を端末装置に送信するステップと、
サーバから送信された投稿情報を端末装置で表示するステップとを有し、
前記選択するステップは、前記端末装置から現在位置情報を受信し、この現在位置から投稿情報の投稿位置までの所要時間を算出するステップと、現在時刻と投稿情報の投稿時間とを比較するステップとを有し、
前記選択するステップは、前記所要時間及び前記比較結果に基づき投稿情報を選択する、投稿情報表示方法。
【請求項１２】
前記選択するステップは、前記比較結果により現在時刻から第１の時間内にあり、かつ前記所要時間が第２の時間内に投稿された投稿情報を選択しない、請求項１１に記載の投稿情報表示方法。
【請求項１３】
投稿情報を配信可能なサーバと、サーバからの投稿情報を表示可能な端末装置とを備えたシステムにおける投稿情報表示方法であって、
投稿者によって投稿された投稿情報をサーバに蓄積するステップと、
端末装置からの要求に応じて投稿情報を端末装置に送信するステップと、
サーバから送信された投稿情報を端末装置で表示するステップとを有し、
前記表示するステップは、前記端末装置の現在位置から受信した投稿情報の投稿位置までの経路を探索して所要時間を算出するステップと、現在時刻と前記受信した投稿情報の投稿時間とを比較するステップとを有し、
前記表示するステップは、前記所要時間及び前記比較結果に基づき投稿情報を表示する、投稿情報表示方法。
【請求項１４】
前記表示するステップは、前記比較結果により現在時刻から第１の時間内にあり、かつ前記所要時間が第２の時間内に投稿された投稿情報を表示しない、請求項１３に記載の投稿情報表示方法。
【請求項１５】
投稿者からの投稿情報を蓄積し、必要な投稿情報を配信するサーバによって実行されるプログラムであって、
前記サーバに、
投稿者によって投稿された投稿情報を蓄積するステップと、
端末装置から現在位置情報を受信し、この現在位置から投稿情報の投稿位置までの所要時間を算出するステップと、
現在時刻と投稿情報の投稿時間とを比較するステップと、
前記端末装置からの要求に応じて、前記所要時間及び前記比較結果に基づき投稿情報を選択するステップと、
選択された投稿情報を前記端末装置に送信するステップと、
を実行させることを特徴とするプログラム。
【請求項１６】
前記選択するステップは、前記比較結果により現在時刻から第１の時間内にあり、かつ前記所要時間が第２の時間内に投稿された投稿情報を選択しない、請求項１５に記載のプログラム。
【請求項１７】
サーバから配信される投稿情報を表示可能な端末装置によって実行されるプログラムであって、
前記端末装置に、
前記端末装置の現在位置情報を取得するステップと、
前記サーバに対して投稿情報の送信を要求するステップと、
前記要求に応答して前記サーバから送信された投稿情報を受信するステップと、
前記端末装置の現在位置から前記受信した投稿情報の投稿位置までの経路を探索して所要時間を算出するステップと、
現在時刻と前記受信した投稿情報の投稿時間とを比較するステップと、
前記所要時間及び前記比較結果に基づき前記投稿情報を表示するステップと、
を実行させるプログラム。
【請求項１８】
前記表示するステップは、前記比較結果により現在時刻から第１の時間内にあり、かつ前記所要時間が第２の時間内に投稿された投稿情報を表示しない、請求項１７に記載のプログラム。
【発明の詳細な説明】
【技術分野】
【０００１】
本発明は、投稿者から投稿された投稿情報を表示する投稿情報表示システム、サーバ、端末装置、投稿情報表示方法およびプログラムに関し、特にサーバから配信された投稿情報を端末装置で表示する技術に関する。
【背景技術】
【０００２】
スマートフォンに代表される携帯型多機能端末等の通信を利用した種々のサービスが展開されている。その中で、近年特に、ツイッター（登録商標）、Ｆａｃｅｂｏｏｋ（登録商標）などのソーシャル・ネットワーキング・サービス（以下、ＳＮＳ）が普及している。ＳＮＳでは、ユーザーは、スマートフォンや携帯電話、パーソナルコンピュータ（以下、ＰＣ）などを用いて様々な情報を投稿し、投稿された情報をＳＮＳサーバに蓄積し、ＳＮＳサーバに蓄積された情報がユーザーによって閲覧することができる。ユーザーは、投稿する際に、投稿した位置と投稿内容を対応付けることができるため、ＳＮＳサーバには、投稿者を識別するアカウント、投稿日時、投稿した位置を示す位置情報、および投稿内容などを含む投稿情報が蓄積される。
【０００３】
ユーザーが車両に乗車する際に、携帯電話などの携帯端末で利用しているＳＮＳを引き続き車内でも利用したいという要望がある。そこで、ＳＮＳサーバから取得した投稿情報を、投稿されてから取得するまでの経過時間や投稿情報が属するカテゴリに応じた表示形式で、地図上に表示する車載用表示装置が開示されている（特許文献１）。
【０００４】
また、ＳＮＳの投稿情報以外にも、クーポン情報サイトなどにより、ユーザーは、スマートフォンや携帯電話、ＰＣを用いて、各種施設のクーポンや広告を手軽に入手できる。このようなクーポンや広告の情報も、上記ＳＮＳへの投稿情報と同様に、車内で利用できるようになっており、例えば、サーバに蓄積される広告データから所定の条件に応じた広告情報を取得し、取得した広告情報をディスプレイの地図上に重畳表示させる車両用ナビゲーション装置が開示されている（特許文献２）。
【先行技術文献】
【特許文献】
【０００５】
【特許文献１】特開２０１１−２４７８３２号  公報
【特許文献２】特開２００２−１６２２３７号  公報
【発明の概要】
【発明が解決しようとする課題】
【０００６】
著名人等による口コミ情報の投稿が行われた際、その投稿情報は、ＳＮＳを利用するユーザーにリアルタイムで提供される。投稿情報に位置情報が含まれている場合には、リアルタイム表示では、投稿者の所在地が判明してしまう。この場合、ユーザーは、その位置情報から投稿者に接触することが可能になり、このことは、投稿者の安全等の観点から必ずしも好ましいとは言えない。特に、投稿者が著名人であれば、投稿者に逢うためにユーザーが殺到することも予期される。
【０００７】
本発明は、このような従来の課題を解決し、投稿者とユーザーとの接触する機会を低減させる投稿情報表示システム、サーバ、端末装置、投稿情報表示方法およびプログラムを提供することを目的とする。
【課題を解決するための手段】
【０００８】
本発明に係る投稿情報表示システムは、投稿情報を配信可能なサーバと、サーバからの投稿情報を表示可能な端末装置とを備えたものであって、前記サーバは、投稿者によって投稿された投稿情報を受信する受信手段と、受信した投稿情報を蓄積する蓄積手段と、前記端末装置から現在位置情報を受信し、この現在位置から投稿情報の投稿位置までの所要時間を算出する経路探索手段と、現在時刻と投稿情報の投稿時間とを比較する比較手段と、前記端末装置からの要求に応じて、前記所要時間及び前記比較結果に基づき投稿情報を選択する選択手段と、前記選択手段によって選択された投稿情報を前記端末装置に送信する送信手段とを有し、前記端末装置は、端末装置の現在位置情報を取得する取得手段と、
取得された現在位置情報に基づき前記サーバに対して投稿情報の送信を要求する要求手段と、前記要求手段に応答して前記選択手段によって選択された投稿情報を受信して表示する投稿情報表示手段とを有する。好ましくは前記選択手段は、前記比較結果により現在時刻から第１の時間内にあり、かつ前記所要時間が第２の時間内に投稿された投稿情報を選択しない。
【０００９】
さらに本発明に係る投稿情報表示システムは、投稿情報を配信可能なサーバと、サーバからの投稿情報を表示可能な端末装置とを備えたものであって、前記サーバは、投稿者によって投稿された投稿情報を受信する受信手段と、受信した投稿情報を蓄積する蓄積手段と、前記端末装置からの要求に応じて投稿情報を端末装置に送信する送信手段とを有し、前記端末装置は、前記端末装置の現在位置情報を取得する取得手段と、前記サーバに対して投稿情報の送信を要求する要求手段と、前記要求手段に応答して前記送信手段によって送信された投稿情報を受信する投稿情報受信手段と、前記端末装置の現在位置から前記投稿情報受信手段で受信した投稿情報の投稿位置までの経路を探索して所要時間を算出する経路探索手段と、現在時刻と前記投稿情報受信手段で受信した投稿情報の投稿時間とを比較する比較手段と、前記所要時間及び前記比較結果に基づき前記投稿情報を表示する投稿情報表示手段とを有する。
【００１０】
好ましい態様では、前記投稿情報表示手段は、前記比較結果により現在時刻から第１の時間内にあり、かつ前記所要時間が第２の時間内に投稿された投稿情報を表示しない。好ましい態様では、前記投稿者は予め定められた人物である。好ましい態様では、前記投稿情報は、前記予め決められた人物を写した静止画または動画を含み、前記投稿情報表示手段は、前記静止画または動画を表示する。
【００１１】
本発明に係るサーバは、投稿情報を表示可能な端末装置に前記投稿情報を送信するものであって、投稿者によって投稿された投稿情報を受信する受信手段と、受信した投稿情報を蓄積する蓄積手段と、前記端末装置から現在位置情報を受信し、この現在位置から投稿情報の投稿位置までの所要時間を算出する経路探索手段と、現在時刻と投稿情報の投稿時間とを比較する比較手段と、前記端末装置からの要求に応じて、前記所要時間及び前記比較結果に基づき投稿情報を選択する選択手段と、前記選択手段によって選択された投稿情報を前記端末装置に送信する送信手段とを有する。
【００１２】
本発明に係る端末装置は、サーバに蓄積された投稿情報を受信して表示するものであって、現在位置情報を取得する取得手段と、前記サーバに対して投稿情報の送信を要求する要求手段と、前記要求手段に応答して前記サーバから投稿情報を受信する投稿情報受信手段と、前記端末装置の現在位置から前記投稿情報受信手段で受信した投稿情報の投稿位置までの経路を探索して所要時間を算出する経路探索手段と、現在時刻と前記投稿情報受信手段で受信した投稿情報の投稿時間とを比較する比較手段と、前記所要時間及び前記比較結果に基づき前記投稿情報を表示する投稿情報表示手段とを有する。
【００１３】
本発明に係る投稿情報表示方法は、投稿情報を配信可能なサーバと、サーバからの投稿情報を表示可能な端末装置とを備えたシステムにおけるものであって、投稿者によって投稿された投稿情報をサーバに蓄積するステップと、前記端末装置からの要求に応じて前記投稿情報を選択するステップと、選択された投稿情報を端末装置に送信するステップと、サーバから送信された投稿情報を端末装置で表示するステップとを有し、前記選択するステップは、前記端末装置から現在位置情報を受信し、この現在位置から投稿情報の投稿位置までの所要時間を算出するステップと、現在時刻と投稿情報の投稿時間とを比較するステップとを有し、前記選択するステップは、前記所要時間及び前記比較結果に基づき投稿情報を選択する。
【００１４】
さらに本発明に係る投稿情報表示方法は、投稿情報を配信可能なサーバと、サーバからの投稿情報を表示可能な端末装置とを備えたシステムにおけるものであって、投稿者によって投稿された投稿情報をサーバに蓄積するステップと、端末装置からの要求に応じて投稿情報を端末装置に送信するステップと、サーバから送信された投稿情報を端末装置で表示するステップとを有し、前記表示するステップは、前記端末装置の現在位置から受信した投稿情報の投稿位置までの経路を探索して所要時間を算出するステップと、現在時刻と前記受信した投稿情報の投稿時間とを比較するステップとを有し、前記表示するステップは、前記所要時間及び前記比較結果に基づき投稿情報を表示する。
【００１５】
本発明に係るプログラムは、投稿者からの投稿情報を蓄積し、必要な投稿情報を配信するサーバによって実行されるものであって、前記サーバに、投稿者によって投稿された投稿情報を蓄積するステップと、端末装置から現在位置情報を受信し、この現在位置から投稿情報の投稿位置までの所要時間を算出するステップと、現在時刻と投稿情報の投稿時間とを比較するステップと、前記端末装置からの要求に応じて、前記所要時間及び前記比較結果に基づき投稿情報を選択するステップと、選択された投稿情報を前記端末装置に送信するステップとを実行させる。
【００１６】
さらに本発明に係るプログラムは、サーバから配信される投稿情報を表示可能な端末装置によって実行されるものであって、前記端末装置に、前記端末装置の現在位置情報を取得するステップと、前記サーバに対して投稿情報の送信を要求するステップと、前記要求に応答して前記サーバから送信された投稿情報を受信するステップと、前記端末装置の現在位置から前記受信した投稿情報の投稿位置までの経路を探索して所要時間を算出するステップと、現在時刻と前記受信した投稿情報の投稿時間とを比較するステップと、前記所要時間及び前記比較結果に基づき前記投稿情報を表示するステップとを実行させる。
【発明の効果】
【００１７】
本発明によれば、現在時刻と投稿情報の投稿時間との比較結果、および現在位置から投稿位置までの所領時間に基づきサーバが配信すべき投稿情報、または端末装置に表示すべき投稿情報を選択するようにしたので、投稿者とユーザーとの接触を防止することができる。
【図面の簡単な説明】
【００１８】
【図１】本発明の実施例に係る投稿情報の表示システムの利用態様の一例を示す図である。
【図２】本発明の実施例に係る投稿情報の表示システムの構成例を示す図である。
【図３】本実施例の投稿情報の表示システムの内部構成の一例を示す図である。
【図４】スマートフォンから投稿情報を投稿するときの動作例を説明するフローチャートである。
【図５】投稿者が口コミ等の情報を投稿したときに生成される投稿情報の一例を示す図である。
【図６】ＳＮＳサーバの制御部の機能的な一構成例を示すブロック図である。
【図７】ＳＮＳサーバに構成される投稿情報のデータベースの一例を示す図である。
【図８】本実施例の表示システムにおける投稿情報の配信動作例を説明するフローである。
【図９】本実施例の投稿情報の選択動作例を説明するフローチャートである。
【図１０】本実施例の表示システムによる表示制限を説明する図であり、図１０（Ａ）は投稿者の口コミ投稿の例、図１０（Ｂ）は、投稿者周辺のユーザーへの表示制限の例、図１０（Ｃ）は、投稿者周辺以外のユーザーへの表示制限がされない例を示す。
【図１１】本実施例の投稿情報の表示例であり、図１１（Ａ）は、地図上に投稿情報を表示する例、図１１（Ｂ）は、リスト状に投稿情報を表示する例である。
【図１２】本発明の第２の実施例に係るスマートフォンの制御部の機能的な一構成例を示すブロック図である。
【図１３】本発明の第２の実施例に係る表示システムにおける投稿情報の配信動作を説明するフローである。
【図１４】図１４（Ａ）は、第２の実施例に係るＳＮＳサーバの投稿情報選択部の動作を説明するフロー、図１４（Ｂ）は、第２の実施例に係る端末装置側の投稿情報の選択動作を説明するフローである。
【発明を実施するための形態】
【００１９】
次に、本発明の実施の形態について図面を参照して詳細に説明する。本発明の投稿情報の表示システムで利用される端末装置は、スマートフォン（多機能型携帯電話）、携帯電話、ノート型ＰＣ、タブレット型ＰＣ、パーソナルコンピュータ、その他の通信機能を備えた電子装置であることができ、端末装置は、通信機能を利用してサーバから配信された投稿情報を表示する機能を備えている。また、本発明の端末装置は、ユーザーが歩行中に使用したり、車両等の移動体内で使用することができ、後者の場合、端末装置は、移動体内に設置された車載機器と連携することが可能である。さらに本発明の端末装置は、投稿情報を表示する機能以外に、投稿情報を投稿する機能、ナビゲーション機能、オーディオ・ビデオデータを再生する機能、テレビ・ラジオ放送を受信する機能などを備えることも可能である。
【００２０】
本発明の投稿情報の表示システムで利用されるサーバは、インターネット、イントラネット等のネットワーク上に接続され、投稿者から投稿された投稿情報をデータベース化して記憶装置に蓄積し、サーバにアクセスしたユーザーに投稿情報を配信する。好ましい態様では、投稿者は、予め決められた人物あるいは著名人であり、これらの著名人による投稿情報を、ユーザーに配信する。著名人は、全国または特定の地域に在住する有名人、特定の年齢層の人物、特定のことに専門性をもつ人物、全国または特定の地域で人気のある人物などである。但し、投稿者は、必ずしもこのような著名人に限られず、一般人であってもよい。
【００２１】
投稿者によって投稿される投稿情報のフォーマット等は任意であるが、好ましい態様では、投稿情報には、投稿者を識別する識別情報、投稿内容、投稿者の投稿位置または投稿内容の位置を表す位置情報、投稿日時などが含まれる。但し、位置情報の付加は任意であり、投稿者は、必要に応じて位置情報を省略することができる。好ましい態様では、投稿者を識別する識別情報は、投稿者の静止画または動画を含むことができ、端末装置において投稿情報を表示させるとき、投稿者の静止画または動画を表示させることができる。
【実施例】
【００２２】
次に、本発明の実施例に係る投稿情報の表示システムについて図面を参照して説明する。図１は、本実施例の投稿情報の表示システムのＳＮＳ（Social Network Service）の１つの利用態様を例示する。同図において、タレント、ブロガー、有名人、著名人等の投稿者Ｐ１、Ｐ２、Ｐ３は、自身にとって興味のある口コミ情報などを投稿情報としてＳＮＳサーバへアップロードし、それらの投稿情報がデータベースＤＢに順次蓄積される。投稿者Ｐ１、Ｐ２、Ｐ３は、当該ＳＮＳにおいて予め登録された人物であり、それぞれ固有の識別情報を有している。投稿者Ｐ１、Ｐ２、Ｐ３は、例えば、スマートフォン等を利用して投稿情報をアップロードする。
【００２３】
一方、ユーザーＵ１、Ｕ２、Ｕ３は、例えば、スマートフォンを介してＳＮＳサーバにアクセスし、ＳＮＳサーバから投稿情報をダウンロードする。好ましくは、スマートフォンには、当該ＳＮＳを利用するためのアプリケーションソフトウエアが実装され、当該アプリケーションの実行により、ＳＮＳサーバへのアクセス、投稿情報のダウンロード、投稿情報の表示が実行される。好ましい態様では、ユーザーは、ＳＮＳサーバにユーザーアカウントの認証を行った後、投稿情報の配信の要求ととともにスマートフォンの現在位置情報がＳＮＳサーバに送信され、ＳＮＳサーバは、現在位置情報や投稿情報の投稿時間に基づき必要な投稿情報を配信する。スマートフォンに配信された投稿情報は、アプリケーションの制御下においてディスプレイに表示され、ユーザーＵ１、Ｕ２、Ｕ３は、投稿者Ｐ１、Ｐ２、Ｐ３の投稿情報を閲覧することができる。好ましい態様では、ユーザーＵ１は、自分の嗜好に合致した投稿者Ｐ１のみの投稿情報を選択することも可能である。
【００２４】
図２は、本実施例の投稿情報の表示システムの構成例を示す図である。本実施例の表示システム１０は、インターネット等のネットワークＮＷに、サーバ２０、３０、スマートフォン４０、５０、６０、パーソナルコンピュータ７０などが接続される。投稿者は、例えば、スマートフォン４０〜６０またはＰＣ７０を介して投稿情報をＳＮＳサーバ２０、３０に投稿することができる。他方、ＳＮＳのユーザーもまた、スマートフォン４０〜６０やＰＣ７０を介して投稿情報をサーバ２０、３０から取得し、各自の端末で投稿情報を表示させることができる。また、スマートフォン５０が車両に持ち込まれた場合には、スマートフォン５０は、ＵＳＢや近距離無線通信等の接続手段９０により車載機８０に接続され、車載機８０のディスプレイに投稿情報８２を表示させることができる。好ましくは、スマートフォン４０〜６０には、ＳＮＳアプリケーション５２が搭載され、ＳＮＳを利用するとき、当該アプリケーション５２が実行される。
【００２５】
図３は、第１の実施例に係る投稿情報の表示システムの具体的な構成例を示す図である。まず初めに、本例では、投稿者がスマートフォンを利用して投稿情報を投稿する例について説明する。スマートフォン１００は、図３に示すように、ユーザーからの指示を入力する入力部１１０、表示部１２０、スマートフォン１００の現在位置を算出する現在位置算出部１３０、インターネット等を介してサーバ等とデータ通信を行う通信部１４０、データやプログラムなどを記憶可能な記憶部１５０、各部を制御する制御部１６０等の基本構成を含む。ここには図示しないが、スマートフォン１００は、画像を撮像する撮像カメラ、音声を入力するマイクロフォン、音声を出力するスピーカなども搭載する。
【００２６】
制御部１６０は、マイクロコントローラまたは中央プロセッサ等を含み、好ましくは、予め用意されたアプリケーションソフトウエアまたはプログラムを実行することでＳＮＳの利用を制御する。ある態様では、投稿者は、レストラン、店、ホテルなど施設を訪問したとき、その施設に関する文章、静止画、動画などの口コミ情報を投稿する。
【００２７】
図４は、投稿情報の投稿動作を説明するフローチャートである。投稿者は、スマートフォン１００のアプリケーションを起動させる（Ｓ１００）。この起動により、スマートフォン１００は、ＳＮＳサーバ２００との通信が可能になる。好ましくは、ＳＮＳを利用するための条件として、ユーザー認証のためのユーザーアカウント、パスワードなどのログインが求められる。但し、ユーザー認証は、このタイミングに限らず、投稿情報を送信する際に行われるようにしてもよい。
【００２８】
アプリケーションの起動に伴い、スマートフォン１００の現在位置情報が取得される（Ｓ１０２）。現在位置情報の取得の方法は、公知の手段を利用して行われる。例えば、スマートフォン１００がＧＰＳ受信機を搭載している場合にはその緯度、経度の座標情報、ジャイロセンサや加速度センサなどの自立航法センサを内蔵している場合には、その位置情報から現在位置情報が算出される。また、これ以外にも、通信部１４０を介して外部からスマートフォン１００の現在位置情報を取得することができる場合には、その現在位置情報を利用する。
【００２９】
投稿者は、入力部１１０を介して口コミ情報を入力し（Ｓ１０４）、入力が完了すると、投稿情報に関連付けして現在位置情報を付加するか否かを選択する（Ｓ１０６）。その後、投稿者によって送信の指示がなされると、投稿情報がＳＮＳサーバに送信される（Ｓ１０８）。
【００３０】
制御部１６０は、投稿者からの口コミ情報の入力があると、それをＳＮＳサーバに送信すべく投稿情報を作成する。図５は、投稿情報の一例を示す図である。投稿情報は、投稿者ＩＤ、投稿日時、投稿内容、投稿位置情報を含んで構成される。投稿者ＩＤは、投稿者を識別する情報であり、例えば、ＳＮＳサーバの認証で用いられたユーザーアカウント、ユーザー名などを用いることができる。これ以外にも、投稿者を識別できる情報、例えばスマートフォンの電話番号などであってもよい。ここでは、スマートフォンの保有者である投稿者Ｐ１が示されている。投稿日時は、投稿情報が送信されるときの時間情報であり、例えば、○月○日○時○分などの情報である。これは、スマートフォン内の時計情報が利用される。投稿内容は、投稿者が入力したテキスト情報、投稿者がスマートフォンで撮像した画像情報、投稿者がスマートフォンで入力した音声情報を含むことができる。画像情報や音声情報は、公知の圧縮手段により圧縮され、ＭＰＥＧ、ＪＰＥＧなどに加工することができる。投稿位置情報は、上記したように、位置情報取得部１３０で取得されたスマートフォン１００の現在位置情報である。これらの投稿情報は、スマートフォン１００の記憶部１５０に、一定の期間、一定のボリュームで保持することができる。
【００３１】
また、投稿位置情報は、必ずしも現在位置取得部１３０で取得された位置情報に限定されない。上記の投稿情報の作成例では、スマートフォン１００の現在位置取得部１３０によって取得された現在位置を投稿位置情報として、図５の投稿情報に付加するが、実際には、投稿者が必ずしも施設等を訪問しそこで投稿情報を投稿するとは限らない。すなわち、自宅のＰＣや他の場所から投稿情報を投稿することも可能であり、この場合には、現在位置取得部１３０で取得された現在位置と投稿位置とが必ずしも一致しない。従って、投稿情報に含まれる地点情報は、現在位置取得部１３０により取得された位置以外であってもよい。例えば、投稿情報作成時に、スマートフォン１００の記憶部１５０または地図配信サーバに記憶されている地図データにアクセスし、そこから施設または地点を選択し、この施設の位置または地点を投稿位置情報とすることが可能である。あるいは、投稿情報作成時に、投稿内容に施設に関する静止画または動画（施設を撮像した画像、販売商品などを撮像した画像）を含める場合には、これらの画像の撮影位置を投稿位置情報とすることが可能である。また、投稿情報作成時に、投稿内容の文字列とスマートフォン１００の記憶部１５０または地図配信サーバに記憶されている地図データを比較することにより、施設名や住所などの位置を示す情報を抽出し、この抽出された位置を投稿位置情報とすることが可能である。さらに、ユーザーは、自分で住所等の投稿位置情報を入力することも可能である。このように投稿位置情報は、現在位置取得部１３０で取得された現在位置、地図データに記憶された位置情報、あるいはユーザーが入力した位置情報などであることができる。投稿位置情報の決定は、図４のステップＳ１０６の動作において実行され、現在位置取得部１３０による現在位置以外の位置情報に変更する場合には、ユーザーが最終的に投稿位置情報を決定するようにしてもよい。
【００３２】
次に、ＳＮＳサーバについて図３を参照して説明する。ＳＮＳサーバ２００は、通信部２１０、記憶部２２０および制御部２３０の基本構成を含んで構成される。通信部２１０は、ＴＣＰ／ＩＰなどの通信プロトコルにより、ＳＮＳのアプリケーションが起動されたスマートフォンやその他の機器との間で、インターネットやイントラネットを介した通信を可能にする。記憶部２２０は、投稿者から投稿された投稿情報を蓄積し、投稿情報のデータベースを構築する。さらに記憶部２２０は、後述するように現在位置から投稿位置までの経路探索を行うための地図データを格納する。制御部２３０は、マイクロコントローラまたは中央プロセッサ等を含み、好ましくは、予め用意されたアプリケーションソフトウエアまたはプログラムを実行することでＳＮＳや通信等を制御する。
【００３３】
図６に、ＳＮＳサーバの制御部２３０の機能ブロック図を示す。制御部２３０は、受信した投稿情報のデータベースを構成するデータベース構成部２３２、地図データを参照し経路探索を行う経路探索部２３４、投稿情報のデータベースを参照しユーザーからの要求に応じて送信すべき投稿情報を選択する投稿情報選択部２３６、選択された投稿情報を送信する投稿情報送信部２３８とを備えている。
【００３４】
データベース構成部２３２は、投稿者から投稿情報を受信すると、それを記憶部２２０に逐次蓄積し、投稿情報のデータベースを構築する。図７は、ＳＮＳサーバ２００の記憶部２２０に蓄積された投稿情報のデータベースの一例である。データベースには、種々の投稿者Ｐ１〜Ｐｎからの投稿情報が登録される。それぞれの投稿情報は、投稿者ＩＤ、投稿日時、投稿内容、投稿位置情報を含むが、最後の投稿者Ｐｎのように、もし、投稿情報に投稿位置情報が関連付けされていなければ、投稿情報は投稿位置情報を包含しない。制御部２３０は、このようなデータベースを参照して、投稿者のＩＤ、投稿日時などによって投稿情報を検索、またはソートしたり、あるいはキーワードなどによって投稿内容を検索することが可能である。フラグの設定は、任意であるが、本実施例では、後述するようにフラグを利用して投稿情報の選択を行う。
【００３５】
経路探索部２３４は、記憶部２２０に格納された地図データ、あるいは外部から取得した地図データを参照して経路探索を行う。好ましい態様では、経路探索部２３４は、スマートフォン１００から投稿情報の配信の要求があったとき、スマートフォン１００の現在位置から、図７に示すようなデータベースに蓄積された投稿情報の投稿位置までの最適な経路を探索し、当該経路探索に要する所要時間を計算する。所要時間は、例えば、探索経路の道なりの距離に係数を乗することにより算出される。当該係数は、スマートフォン１００の移動手段（例えば、歩行、自動車、オートバイ等）に応じて変更することが可能であるが、デフォルト状態では歩行に対応する係数が設定されている。あるいは、経路探索部２３４は、地図データのリンクに設定されている旅行時間に基づき所要時間を算出するようにしてもよい。
【００３６】
投稿情報選択部２３６は、ＳＮＳユーザーから投稿情報の配信の要求があると、経路探索部２３４により算出された所要時間、およびＳＮＳユーザーの現在時刻に基づき、ＳＮＳユーザーと投稿者との接触の可能性が低減されるように投稿情報を選択する。好ましい態様では、投稿情報選択部２３６は、ＳＮＳユーザーから配信要求が成された現在時刻と投稿情報の投稿日時とを比較し、現在時刻から第１の時間内にあり、かつ現在位置から投稿位置までの探索経路の所要時間が第２の時間内にあることを満足する投稿情報以外の投稿情報が選択される。第１の時間および第２の時間は、任意に設定することが可能であるが、上記したようにスマートフォン１００（ＳＮＳユーザー）の移動手段に応じて変更するようにしてもよい。例えば、スマートフォン１００の移動が歩行のときの第１および第２の時間は、自動車による移動のときの第１および第２の時間よりも大きくするようにしてもよい。さらに、ユーザーないし投稿者がスマートフォン１００から第１および第２の時間を設定できるようにしてもよい。投稿情報送信部２３８は、こうして選択された投稿情報をＳＮＳユーザーに配信する。
【００３７】
次に、本実施例の投稿情報の表示システムにおける投稿情報の表示動作について図８のフローチャートを参照して説明する。ここでは、ＳＮＳユーザーがスマートフォンを使用し、スマートフォンの表示部に投稿情報が表示されるものとする。
【００３８】
ＳＮＳユーザーは、図３に示すようなスマートフォン１００において、ＳＮＳを利用するためのＳＮＳアプリケーションソフトウエアを起動し（Ｓ２００）、次いで、ＳＮＳサーバ２００との間でユーザー認証を実行する（Ｓ２０２）。ユーザー認証が完了すると、制御部１６０は、現在位置取得部１３０にスマートフォン１００の現在位置情報を取得させ（Ｓ２０４）、次に、通信部１４０を介してＳＮＳサーバ２００に対し、投稿情報の配信を要求する（Ｓ２０６）。この要求には、スマートフォン１００の現在位置情報も一緒に付加される。投稿情報の配信要求は、任意のタイミングで行うことが可能であり、好ましくは、ＳＮＳアプリケーションにより自動的に実行される。但し、配信要求は、ユーザーからの指示に応じて実行されるようにしてもよい。
【００３９】
ＳＮＳサーバ２００が投稿情報の配信要求／現在位置情報を通信部２１０を介して受け取ると（Ｓ２０８）、投稿情報選択部２３６は、記憶部２２０のデータベース化された投稿情報から配信すべき投稿情報を選択する（Ｓ２１０）。そして、投稿情報送信部２３８は、選択された投稿情報をスマートフォン１００へ送信し（Ｓ２１２）、スマートフォン１００は、受信した投稿情報を表示部２１０に表示する（Ｓ２１４）。
【００４０】
図９に投稿情報選択部の具体的な動作フローを示す。制御部２３０によって投稿情報の配信要求の命令が解読されると（Ｓ３００）、投稿情報選択部２３６は、記憶部２２０に格納された投稿情報のデータベースを参照し、スマートフォン１００の現在位置Ｓに基づき配信の対象となる投稿情報の集合Ｇを抽出する（Ｓ３０２）。投稿情報のフラグ（図７）は、例えば、３ビットから構成され、集合Ｇに含まれる投稿情報のフラグの最上位ビットが「１」に設定される。好ましい態様では、集合Ｇの抽出は、投稿情報に付加されている投稿位置情報を参照することによって実行され、投稿位置情報が付加されていない投稿情報は、事実上、集合Ｇから除外される。また、どの範囲の投稿情報を抽出するかは任意であり、仮に範囲がデフォルト値で設定されている場合には、ユーザーは、入力部１１０を介してＳＮＳサーバにおけるその設定値を変更することが可能である。例えば、スマートフォンの現在位置Ｓから半径５００メートルの範囲内にある投稿情報が集合Ｇとして抽出される。さらに別の好ましい態様では、集合Ｇの抽出には、他の条件を加重することができる。例えば、投稿日時の期間を指定したり、投稿者を指定することも可能である。これらは、ＳＮＳアプリケーションにおいてユーザーが指定することができる。集合Ｇの抽出を行うか否かは任意であり、また、集合Ｇの抽出条件は、ユーザー設定が可能である。例えば、集合Ｇの抽出においてスマートフォン１００の現在位置Ｓの条件を外すことも可能であり、この場合には、投稿情報選択部２３６は、投稿情報に投稿位置情報が付加されている投稿情報が集合Ｇとして選択される。
【００４１】
次に、投稿情報選択部２３６は、スマートフォン１００から配信要求があった現在時刻と投稿情報の投稿日時とを比較し、現在時刻から第１の時間内（例えば、１時間以内）にある投稿情報を判別する（Ｓ３０４）。この判別は、集合Ｇの投稿情報のフラグの中位ビットを「１」にすることにより行われる。第１の時間は、投稿者とユーザーとの接触を回避させるために必要な値である。上記したように、第１の時間は、任意に設定が可能であり、仮にデフォルト値が設定されている場合には、ユーザー入力によってＳＮＳサーバにおけるその値を変更することができる。また、第１の時間は、ある条件に基づき自動的に変更されるようにしてもよい。もし、投稿位置が夜間よりも昼間の方が多数の人間が存在するような繁華街であれば、夜間の第１の時間を昼間よりも小さくすることができる。
【００４２】
また、経路探索部２３４は、スマートフォンの現在位置Ｓから投稿情報の投稿位置までの経路を探索し、その探索された経路を進行するのに要する所要時間Ｔを算出する（Ｓ３０６）。経路探索は、集合Ｇに含まれるすべての投稿情報、あるいは、処理時間を短縮するためにステップＳ３０４においてフラグの中位ビットが「１」に設定された投稿情報について実施される。そして、投稿情報選択部２３６は、所要時間が第２の時間内（例えば、１５分以内）にある投稿情報を判別する（Ｓ３０８）。この判別は、集合Ｇの投稿情報のフラグの下位ビットを「１」にすることにより行われる。第２の時間は、投稿者とユーザーとの接触を回避させるために必要な大きさであり、上記したように、第２の時間は、任意に設定が可能である。また、第２の時間は、ある条件に基づき自動的に変更されるようにしてもよい。もし、投稿位置が夜間よりも昼間の方が多数の人間が存在するような繁華街であれば、夜間の第１の時間を昼間よりも小さくすることができる。繁華街か否かは、例えば、地図データにその範囲を予め設定しておくことが可能である。
【００４３】
次に、投稿情報選択部２３６は、データベースの中からフラグの最上位ビットが「１」である集合Ｇの投稿情報の中から、中位ビットが「１」である現在時刻から第１の時間以内にあると判別された投稿情報、および最下位ビットが「１」である現在位置からの所要時間が第２の時間以内にあると判別された投稿情報を非選択とし、これを除外した投稿情報を、配信すべき投稿情報として選択する（Ｓ３１０）。
【００４４】
なお、上記の動作フローでは、ステップＳ３０４において現在時刻から第１の時間以内の投稿情報を判別し、次に、ステップＳ３０８において所要時間が第２の時間以内の投稿情報を判別するようにしたが、この順序は、反対であってもよく、先に所要時間が第２の時間以内の投稿情報を判別し、次に、当該判別された投稿情報の中から第１の時間以内の投稿情報を判別するようにしてもよい。
【００４５】
図１０は、本実施例の表示システムによる具体的な表示例である。先ず、図１０（Ａ）は、投稿者Ｐ１〜Ｐ４による口コミ投稿が行われた例を示している。例えば、図７のデータベースに示されるように、投稿者Ｐ１が、１１月２９日９時２０分に投稿位置Ｘ１、Ｙ１に関する口コミの投稿を行い、これがＳＮＳサーバ２００に蓄積され、投稿者Ｐ２が、１１月２９日９時１０分に投稿位置Ｘ２、Ｙ２に関する口コミの投稿を行い、これがＳＮＳサー２００バに蓄積される。
【００４６】
図１０（Ｂ）は、ＳＮＳサーバ２００による経路探索および所要時間の例を示している。同図に示すように、ＳＮＳユーザーＵ１が現在位置ＳにおいてＳＮＳサーバ２００に対し投稿情報の配信要求をしたものとする。そのときの現在時刻は、１１月２９日９時４０分であり、投稿者Ｐ１〜Ｐ４の投稿情報が現在時刻から第１の時間以内にあるものとする。ＳＮＳサーバ２００は、ＳＮＳユーザーＵ１の現在位置Ｓから、投稿者Ｐ１〜Ｐ４によって投稿された投稿情報の投稿位置までのそれぞれの経路Ｋ１〜Ｋ４を探索し、経路Ｋ１〜Ｋ４の所要時間をそれぞれ算出する。例えば、投稿者Ｐ１による投稿情報に関しては、現在位置Ｓから投稿位置Ｘ１、Ｙ１までの経路Ｋ１が探索され、その所要時間が算出される。
【００４７】
ＳＮＳサーバ２００は、上記したように、所要時間が第２の時間以内にあるものを判別する。図１０（Ｃ）は、ＳＮＳユーザーＵ１の現在位置Ｓを中心とする第２の時間Ｔ２の範囲を表している。投稿者Ｐ２、Ｐ３の投稿情報は、所要時間が第２の時間以内であるため、配信されるべき投稿情報として選択されないが、投稿者Ｐ１、Ｐ４の投稿情報は、所要時間が第２の時間以内ではないため、配信されるべき投稿情報として選択される。
【００４８】
次に、投稿情報の表示例を図１１に示す。図１１（Ａ）は、スマートフォンの表示部１２０に現在位置Ｓの周辺地図を表示し、その地図上に、配信された投稿情報が表示されている例である。投稿情報は、例えば、投稿位置に該当する施設を示すような吹き出し表記３００内に、投稿者を識別できるような顔写真３１０と、投稿内容３２０が表示される。この表示形態は一例であり、単なるアイコンを表示するものであってもよい。また、吹き出し表記３００やアイコンをユーザーが選択することで、図１１（Ｂ）に示すような投稿情報の全体の内容を閲覧することができるような画面を表示させることができる。なお、地図データは、スマートフォン１００の記憶部１５０から読み出されるものであってもよいし、スマートフォン１００から地図配信サーバにアクセスし、現在位置Ｓの周辺地図データをそこから取得するようにしてもよい。
【００４９】
図１１（Ｂ）は、表示部１２０に、投稿情報をリスト状に表示させた例である。リスト内には、各投稿情報が配列され、各投稿情報の表示は、投稿者が識別できるように投稿者の画像３１０、投稿内容３２０、投稿位置情報３３０を含み、側部にはスクロールキー３４０が表示される。投稿情報は、現在位置から近い順に並べてもよいし、投稿者ＩＤ順に並べてもよい。さらに投稿位置情報を選択することで、図１１（Ａ）に示すような地図画面に切り替えるようにしてもよい。
【００５０】
また、ユーザーは、表示された投稿情報を目的地とする誘導案内サービスを受けることが可能である。この場合、スマートフォン１００がナビゲーション機能を搭載していれば、制御部１６０が目的地までの誘導経路を探索し、それをユーザーに提示することができる。他方、スマートフォン１００がナビゲーション機能を備えていない場合には、地図配信サーバから道路地図データおよび誘導案内情報を受け取り、これをユーザーに提示することで目的地までの案内が行われる。
【００５１】
上記実施例では、ＳＮＳサーバは、ユーザーの現在位置から投稿位置までの所要時間が一定時間以内であり、かつ現在時刻から一定時間内の投稿情報をＳＮＳサーバから配信されないようにしたが、ＳＮＳサーバは、その設定を変更し、所要時間が一定時間以内の投稿情報のみを非選択とし、あるいはユーザーの現在時刻から一定時間以内の投稿情報のみを非選択することも可能である。いずれか一方の条件を用いて投稿情報を非選択することによっても、投稿者とユーザーとの接触の機会は軽減される。
【００５２】
次に、本発明の第２の実施例について説明する。第１の実施例では、投稿者との接触の機会が高い投稿情報をＳＮＳサーバ側において配信制限をしたが、第２の実施例では、ＳＮＳサーバ側で投稿情報の配信制限を行わず、端末装置側で投稿情報の表示制限を行う。
【００５３】
図１２は、第２の実施例に係るスマートフォン１００の制御部１６０に含まれる機能を説明する図である。但し、ここには第２の実施例に必要な機能が示されており、他の機能が省略されていることに留意すべきである。同図に示すように、制御部１６０は、ＳＮＳサーバから配信される投稿情報を受信する投稿情報受信部１６２、スマートフォンの現在位置から投稿情報の投稿位置までの経路を探索し、探索した経路の所要時間を算出する経路探索部１６４、および現在時刻と探索経路の所要時間に基づき受信した投稿情報の中から表示すべき投稿情報を選択する投稿情報選択部１６６を含んでいる。また、経路探索に必要な地図データは、記憶部１５０に記憶されるか、あるいは通信部１４０を介して外部の地図データ配信サーバから取得される。
【００５４】
図１３は、第２の実施例の表示システムにおける投稿情報の配信動作を説明するフローである。ここで、ステップＳ２００からＳ２０８までの動作は、第１の実施例のときの図８に示す動作と実質的に同様であるので説明を省略し、ＳＮＳサーバにおける投稿情報の選択ステップ（Ｓ２１０）、およびスマートフォンにおける投稿情報の選択ステップ（Ｓ２１３）を詳細に説明する。
【００５５】
図１４（Ａ）は、ＳＮＳサーバ側の投稿情報の選択動作を説明するフロー、図１４（Ｂ）は、スマートフォン側の投稿情報の選択動作を説明するフローである。図１４（Ａ）において、制御部２３０が投稿情報の配信要求の命令を解読すると、投稿情報選択部２３６は、一定の条件に合致する投稿情報の集合Ｇを抽出し（Ｓ４０２）投稿情報送信部２３８は、抽出された集合Ｇの投稿情報をスマートフォン１００へ送信する（Ｓ４０４）。好ましい例では、ＳＮＳサーバは、スマートフォン１００の現在位置を受け取り、現在位置から一定範囲の投稿情報の集合Ｇを抽出するようにしたが、集合Ｇの抽出は必須ではない。集合Ｇを抽出しない場合には、ＳＮＳサーバは、投稿情報の全てをスマートフォン１００へ送信し、スマートフォン側において、受信した投稿情報の表示または非表示の選択を行う。また、スマートフォンの現在位置に基づく集合Ｇの抽出を行わない場合には、スマートフォン１００からの現在位置の送信は不要である。
【００５６】
図１４（Ｂ）において、スマートフォン１００の投稿情報受信部１６２は、通信部１４０を介して集合Ｇの投稿情報を受信する（Ｓ４１０）。投稿情報選択部１６６は、第１の実施例のときと同様の手法により、スマートフォンの現在時刻から第１の時間以内の投稿情報を判別する（Ｓ４１２）。さらに経路探索部１６４は、スマートフォンの現在位置から第１の時間以内と判別された投稿情報の投稿位置までの経路を探索し、これの所要時間を算出する（Ｓ４１４）。さらに投稿情報選択部１６６は、所要時間が第２の時間以内にある投稿情報を判別し（Ｓ４１６）、最終的に、現在時刻から第１の時間以内にあり、かつ所要時間が第２の時間以内にある投稿情報を非選択とし、これ以外の投稿情報を表示すべき投稿情報として選択する（Ｓ４１８）。
【００５７】
例えば、図１０（Ｃ）を例にとれば、投稿者Ｐ２、Ｐ３の投稿情報が非表示とされ、投稿者Ｐ１、Ｐ２の投稿情報が表示されることになる。これにより、投稿者周辺のユーザーには、当該投稿者の投稿情報は非表示となるため、ユーザーは、投稿者の存在を知ることがなく、投稿者とユーザー間の接触が回避される。
【００５８】
本発明の好ましい実施の形態について詳述したが、本発明は、特定の実施形態に限定されるものではなく、特許請求の範囲に記載された発明の要旨の範囲において、種々の変形・変更が可能である。
【符号の説明】
【００５９】
１００：スマートフォン                      １１０：入力部
１２０：表示部                              １３０：現在位置取得部
１４０：通信部                              １５０：記憶部
１６０：制御部                              １６２：投稿情報受信部
１６４：経路探索部                          １６６：投稿情報選択部
２００：ＳＮＳサーバ                        ２１０：通信部
２２０：記憶部                              ２３０：制御部
２３２：データベース構成部                  ２３４：経路探索部
２３６：投稿情報選択部                      ２３８：投稿情報送信部
【図１】
2014219333.tif 000003
【図２】
2014219333.tif 000004
【図３】
2014219333.tif 000005
【図４】
2014219333.tif 000006
【図５】
2014219333.tif 000007
【図６】
2014219333.tif 000008
【図７】
2014219333.tif 000009
【図８】
2014219333.tif 000010
【図９】
2014219333.tif 000011
【図１０】
2014219333.tif 000012
【図１１】
2014219333.tif 000013
【図１２】
2014219333.tif 000014
【図１３】
2014219333.tif 000015
【図１４】
2014219333.tif 000016